(57)【要約】【課題】ドアー枠に固着する戸当たりと称する建材の出荷、搬送、陳列作業を行う際に生じる緩衝部を形成する断面凸状円弧長尺帯の端縁の捲れが生じ、不良品となる不都合の生じるのを阻止する戸当たりを提供する。【解決手段】耐圧性合成樹脂からできた変形しない長尺の方形基材の一方側の側面に形成する柔軟性合成樹脂からできた凸状円弧長尺帯を、前記基材と同じ合成樹脂を以て作った凸状円弧長尺舌片と多層構造として構成することを特徴とする。【選択図】図１
2014152574.tif 000002
【特許請求の範囲】
【請求項１】
表面と対象に形成される裏面側に、ドアー枠側に取り付ける取付部を一体に形成し、左右両側に側面を形成した耐圧性合成樹脂から成る変形しない長尺の方形基材の一方側の側面には、柔軟性合成樹脂から成る断面を凸状円弧長尺帯とし、該長尺帯の一方端縁を平面と側面から成る角部側から延長し、該長尺帯の他端縁を裏面と側面から成る角部側から離した一体物として形成した戸当たりにおいて、該凸状円弧長尺帯を、柔軟性合成樹脂から成る断面を凸状円弧長尺帯とし、該長尺帯の内部に、前記した基材を形成する合成樹脂を以て、薄い凸状円弧長尺舌片を形成して成ることを特徴とする戸当たり。
【請求項２】
前記凸状円弧長尺帯の上面側に、前記した基材を形成する合成樹脂を以て、薄い凸状円弧長尺舌片を形成して成ることを特徴とする請求項１に記載の戸当たり。
【請求項３】
前記凸状円弧長尺帯の下面側に、前記した基材を形成する合成樹脂を以て、薄い凸状円弧長尺舌片を形成して成ることを特徴とする請求項１に記載の戸当たり。
【発明の詳細な説明】
【技術分野】
【０００１】
本発明は、ドアー枠に取り付ける緩衝材としての戸当たりと称されている建材に関する発明である。
【背景技術】
【０００２】
ドアーを開閉自在に取り付けるドアー枠は、内側をドアーの大きさと同じ大きさのドア嵌込部とし、その内側をドアー嵌込部より一回り小さな段付面を有する人や荷物の出入りを可能とする段付面を有する段付通口を形成する構成から成っている。
【０００３】
ドアーは、一方の縦辺の上部近く並びに下部近くと、ドアー枠の一方の縦材辺の上部近く並びに下部近くを蝶番で連結してドアーがドア枠の嵌込部内に嵌り込んで開閉自在となるように取付け、そのドアーの他方の縦辺近くの中間部には取っ手を配し、ドアー枠の他方の縦材のドアー嵌込部の内側面には、ドアーに配した前記取っ手の取っ手受けを配して閉めたドアーが不用意に開くのを阻止する構成とされている。
【０００４】
このドアー枠、或いはドアーのどちらかに緩衝材を配置してないと、ドアーの閉鎖時にドアーの周辺がドアー枠の段付通口の段付面に当たった時に耳障りな音が出たり、閉鎖した後もドアー枠とドアーの隙間から音漏れ、通気漏れが生じ、そのための不都合が生じることがある。これまで戸当たりについては、実開昭５５−３５２３７号、実開昭５６−１４５５１９号、実開昭５７−１２５８７７号、実開昭５８−１８１８８３号、特開平６−１８５２５４号公報に開示されたものがあった。
【０００５】
上記した不都合の生ずるのを阻止するため、ドアー枠に取り付ける戸当たりと称する建材が開発され商品として販売されている。
【０００６】
上記した戸当たりと称するこれまで使われていた建材の構成を説明する。
前記戸当たりと称する建材は、表面と対象に形成される裏面側に、ドアー枠の段付通口の段付面に取り付ける取付部を一体に形成し、左右両側に側面を形成して成る耐圧性合成樹脂から成る長尺の方形材である変形しない基材とし、その基材の一方側の側面の長手面には、柔軟性合成樹脂から成る断面を凸状円弧長尺帯とし、該長尺帯の一方の長手側縁が前記機材の側面と表面の角縁から延長し、他方の長手側縁は前記側面の長手方向面と裏面の角縁から浮き上がった状態で離した浮き上り縁として一体物として形成する構成として作られていた。
【０００７】
上記の構成から成る戸当たりは、ドアー枠の段付通口を形成する段付面に、戸当たりの取付部を突刺して戸当たりに固定する。
【０００８】
この戸当たりを取り付けたドアー枠でドアーの開閉をするときは、戸当たりの前記した凸条円弧長尺帯が緩衝材として働き、ドアーを閉めるときにドアーの周面がドアー枠の段付通口の段付面に当接するときの音が出るのを阻止し、ドアーを閉めた後の音漏れ、空気漏れを防止することができることになる。
【０００９】
但し、従来の戸当たりは、上記の通り、耐圧力性を有する変形しない基材の側面に配置する凸状円弧長尺帯は、柔軟性を有する軟質材でできていて上記した構成となっているから、この戸当たりを出荷するときの梱包時や搬送時、或いは陳列時の作業をするときに何かの拍子で凸状円弧長尺帯の他方端部の浮き上り縁が捲れ上がった状態になることがある。この状態が元の状態に復元せず捲れ上がった状態がそのまま続いてその状態のままとなってしまったときは、その戸当たりは商品価値を下落し、不良商品として売り物にはならなくなり、その結果、該商品を廃棄処分せざるをえなくなると言う不都合が生じていた。
【先行技術文献】
【特許文献】
【００１０】
【特許文献１】・・・特開平６−１８５２５４号公報
【非特許文献】
【００１１】
【非特許文献１】・・・実開昭５５−３５２３７号公報
【非特許文献２】・・・実開昭５６−１４５５１９号公報
【非特許文献３】・・・実開昭５７−１２５８７７号公報
【非特許文献４】・・・実開昭５８−１８１８８３号公報
【発明の概要】
【発明が解決しようとする課題】
【００１２】
本発明は、戸当たりの梱包時や搬送時、或いは陳列時の不手際で、戸当たりの凸条円弧長尺帯に上記した現象を引き起こし、その結果に上記した不良商品としてしまうような不都合の生じるのを阻止しようとして開発された発明である。
【課題を解決するための手段】
【００１３】
上記した不都合の生じるのを阻止するため開発された本発明の戸当たりは次のような構造として構成される。
本発明にかかる戸当たりと称する建材の構造は、従来の戸当たりと言う建材の構造と同じく表面と対象に形成される裏面側に、ドアー枠の段付通口の段付面に取り付ける取付部を一体に形成し、左右両側に側面を形成して成る耐圧性合成樹脂から成る変形しない長尺の方形材である基材とし、その基材の一方側の側面の長手方向面には、柔軟性合成樹脂から成る断面を凸状円弧長尺帯とし、該長尺帯の一方の長手側縁が前記した基材の側面の長手方向縁が表面と側面の角縁から延長し、他方の長手側縁は前記側面の長手方向面の裏面と側面の角縁から浮き上がった状態で離した浮き上り縁として形成する構成とし、該凸状円弧長尺帯の中に、該凸状円弧長尺帯より薄い、しかも小さい凸状円弧長尺舌片を耐圧性合成樹脂を以て一体物として形成した構造としたものである。
【００１４】
上記した基材に一体整形する凸状円弧長尺帯は、上記した構成とするとは限らず、凹凸状円弧長尺帯の上面或いは下面に、上記した凸状円弧長尺舌片を配置した構成とする。
【発明の効果】
【００１５】
本発明にかかる戸当たりは、上記した構成から成っているのでドアを閉めるときの緩衝材としての機能を発揮し、閉めたドアの遮音、通気遮断機能を発揮することになる。それだけでなく、梱包時などに基材に形成された凸状円弧長尺帯の浮き上り縁に捲れを生じたり、そのためゆがんだりした不良商品の出すのを阻止することができる。
【図面の簡単な説明】
【００１６】
【図１】本発明の戸当たりの斜視図
【図２】本発明の戸当たりの横断面図
【図３】本発明の戸当たりの他の実施例の横断面図
【図４】本発明の戸当たりの他の実施例の横断面図
【実施例】
【００１７】
本発明の戸当たりを作るのには、合成樹脂製品を製造する業界で、複数の性質の異なる合成樹脂を用いて、それぞれの機能、性質をもつ合成樹脂体を一体物として整形することができる二色整形方法、三色整形方法と呼ばれている方法を実施して合成樹脂製品を作っている方法を用いて作るものである。
【００１８】
本発明の戸当たりを作るための金型は、耐圧性合成樹脂として作る変形しない基材、柔軟性合成樹脂として作る凸状円弧長尺帯、柔軟性合成樹脂として作る凸状円弧長尺帯内或いは柔軟性合成樹脂として作る凸状円弧長尺帯の外側面、或いは側面に作る耐圧性合成樹脂として作る凸状円弧長尺舌片を作ることができるように整形した金型を用いる。
【００１９】
上記した金型を以て作る本発明の戸当たりは次のような構造のものとして構成される。
本発明にかかる戸当たりと称する建材の基本的構造は、基本的には従来の戸当たりと言う建材の構造と同じ構造として作られる。
即ち、表面２と対象に形成される裏面３側には、ドアー枠にドアーの周面を当接するドアー枠の段付通口の段付面１０に取り付ける取付部５を一体に形成して、左右両側に側面４を形成して成る耐圧性合成樹脂から成る変形しない長尺の方形材である基材１とする。その基材１の一方側の側面４の長手方向面には、柔軟性合成樹脂を以て断面を凸状円弧長尺帯６とし、該長尺帯６の一方の長手側縁７が前記した基材１の表面２と側面４の上縁の角部の近くから延長し、他方の長手側縁８は前記と裏面の角部の近くから浮き上がった浮き上り辺９として形成する構成とした。
そして本発明の特徴は、該凸状円弧長尺帯６の中に、該凸状円弧長尺帯より薄い、しかも小さい凸状円弧長尺舌片１０を耐圧性合成樹脂を以て形成した構造としたものである。
この浮き上り縁は側面の下縁に設けるとは限らず、上縁に設ける構成としてもよい。
【００２０】
本発明にかかる戸当たりの取付位置は、背景技術の項に説明したと同じようにドアー枠の段付通口の段付面２２であることは従来の戸当たりと同じである。また、取り付けた戸当たりの機能も背景技術の項で説明した従来の戸当たりと同じである。
【００２１】
本発明の特徴とするところは、基材１の一方側の側面４に配設する凸状円弧長尺帯６の内に耐圧性合成樹脂を以て同長尺帯６と同形の薄く、しかも小さな凸状円弧長尺舌片７を形成したことである。
【００２２】
本発明にかかる戸当たりを上記した構成としたことにより従来型の戸当たりは、出荷時点、搬送時点、或いは陳列時点で何かのはずみで柔軟性合成樹脂からできている凸状円弧長尺舌片の、他縁の浮き上り辺９が背景技術の項で説明したように側面から捲れ上がったり、搬送時や陳列時には取り扱い方によってはゆがんだりして商品価値が下落するような不都合を生じることがあったが、本発明による戸当たりは凸状円弧長尺帯６中に耐圧性合成樹脂による凸状円弧長尺舌片７を構成するようにしたのでこの凸状円弧長尺舌片７が変形阻止機能を発揮して凸状円弧長尺帯６の浮き上り辺９の捲れを阻止し、上記した課題の項に記載したような不都合の生じるのを阻止することができる。
【００２３】
その結果、本発明の戸当たりは従来のような不良品を出すのを阻止することができる。
【００２４】
上記した基材１に一体整形する凸状円弧長尺舌片７を配した凸状円弧長尺帯６は上記した構成とするとは限らず、図３、図４に図示するように凸状円弧長尺帯６の上面、或いは下面に上記した凸状円弧長尺舌片７を配する構成としてもよい。
【００２５】
また、基材は平偏の長尺板とし、その表面に上記した凸状円弧長尺帯を形成した構成としてもよい。
【００２６】
本発明の戸当たりの構成の耐圧性合成樹脂から成る変形しない基材１、柔軟性合成樹脂から成る断面凸状円弧長尺帯６、耐圧性合成樹脂から成る変形しない凸状円弧長尺舌片７を作るのに用いる合成樹脂は、従来の合成樹脂製品を作るのに用いられた合成樹脂の中から所望の合成樹脂を選択して用いることができる。
【符号の説明】
【００２７】
１    基材
２    正面
３    裏面
４    側面
５    取付部
６    凸状円弧長尺帯
７    凸状円弧長尺舌片
９    凸状円弧長尺の浮き上り辺
【図１】
2014152574.tif 000003
【図２】
2014152574.tif 000004
【図３】
2014152574.tif 000005
【図４】
2014152574.tif 000006